(57)【要約】【課題】生産性の高い構造の照明装置を提供する。【解決手段】照明装置１は、ＬＥＤが基板に実装されてなるＬＥＤモジュール３と、ＬＥＤと対向配置される端面を有する板状の導光体５と、導光体５の周辺部と嵌合して導光体５とＬＥＤモジュール７とを保持する枠体（３１ａ，３１ｂ，３３）とを備える。【選択図】図２
2016167440.tif 000002
【特許請求の範囲】
【請求項１】
ＬＥＤが基板に実装されてなるＬＥＤモジュールと、
前記ＬＥＤと対向配置される端面を有する板状の導光体と、
前記導光体の周辺部と嵌合して前記導光体と前記ＬＥＤモジュールとを保持する枠体とを
備える照明装置。
【請求項２】
前記枠体は、長尺状の枠部材と、１つの角部を構成する２つの枠部材を結合する結合部材とから構成され、
前記枠部材の横断面形状は一定であり、
前記枠部材は、前記ＬＥＤモジュールを収容し且つ前記導光体の端部と嵌合する取付溝を有する
請求項１に記載の照明装置。
【請求項３】
前記導光体の裏側に光触媒と紫外線ＬＥＤとが配されている
請求項１又は２に記載の照明装置。
【請求項４】
取付面に取り付けられるベース板と、前記ベース板に着脱自在に取り付けられる照明装置とを備える照明ユニットであって、
前記照明装置が請求項１又は２に記載の照明装置であり、
前記枠体が前記ベース板に固定される
照明ユニット。
【請求項５】
複数のＬＥＤが長尺状の基板に実装されてなるＬＥＤモジュールの前記ＬＥＤが板状の導光体の端面に対向する状態で、横断面形状が一定である枠部材の取付溝内に前記ＬＥＤモジュールと前記導光体の端部とを挿入してなる照明装置の商取引を行う照明装置商取引システムであって、
前記導光体のサイズを入力する入力手段と、前記サイズの照明装置の見積もり結果を表示する表示手段とを備える端末と、
ネットワークを介して前記端末からの前記導光体のサイズの入力を受信する受信手段と、前記受信したサイズの照明装置の見積もりを算出する算出手段と、算出された見積もり結果を前記端末へと送信する送信手段とを備えるサーバとを含む
照明装置商取引システム。
【発明の詳細な説明】
【技術分野】
【０００１】
本発明は、ＬＥＤからの光を導光体から出射する照明装置等に関する。
【背景技術】
【０００２】
近年、一般照明装置として導光体を利用したものが提案されている（例えば、特許文献１、２）。
特許文献１に記載の照明装置は、四角形の浅い凹部の形体に形成された基板と、基板の凹部内周に固定される四角形のＬＥＤ素子と、ＬＥＤ素子の内側に配される四角形の導光体と、ＬＥＤ素子と導光体上に配されるカバーと、断面コ字状を有し且つ導光体及びカバーの端部を掴持する４つの枠体７とを備える。
特許文献２に記載の照明装置は、光源と、光源からの光を導光して出射する多角形の導光体と、導光体の周縁に沿って配置され、導光体を保持する枠部材を備え、照明装置を設置部に取り付けるための取付部材を備える。角部を構成する２つの枠部材は、取付部材の貫通孔の位置に合わせて、半円状の取付孔を有している。
【先行技術文献】
【特許文献】
【０００３】
【特許文献１】実用新案登録第３１７５２１９号公報
【特許文献２】特開２０１４−１６７８５０号公報
【発明の概要】
【発明が解決しようとする課題】
【０００４】
しかしながら、上記照明装置では、生産性が悪いという問題がある。つまり、特許文献１の照明装置は、部品点数が多く、組み立てるのに手間を要する。特許文献２の照明装置は、取付部材の貫通孔に合わせて枠部材に半円状の取付孔を設ける必要があり、加工に手間を要する。
本発明の目的は、上記の問題点に鑑み、生産性の高い構造の照明装置を提供することである。
【課題を解決するための手段】
【０００５】
本発明に係る照明装置は、ＬＥＤが基板に実装されてなるＬＥＤモジュールと、前記ＬＥＤと対向配置される端面を有する板状の導光体と、前記導光体の周辺部と嵌合して前記導光体と前記ＬＥＤモジュールとを保持する枠体とを備える。
また、照明装置において、前記枠体は、長尺状の枠部材と、１つの角部を構成する２つの枠部材を結合する結合部材とから構成され、前記枠部材の横断面形状は一定であり、前記枠部材は、前記ＬＥＤモジュールを収容し且つ前記導光体の端部と嵌合する取付溝を有する。
本発明に係る照明ユニットは、取付面に取り付けられるベース板と、前記ベース板に着脱自在に取り付けられる照明装置とを備え、前記照明装置が上記の照明装置であり、前記枠体が前記ベース板に固定される。
本発明に係る照明装置商取引システムは、複数のＬＥＤが長尺状の基板に実装されてなるＬＥＤモジュールの前記ＬＥＤが板状の導光体の端面に対向する状態で、横断面形状が一定である枠部材の取付溝内に前記ＬＥＤモジュールと前記導光体の端部とを挿入してなる照明装置の商取引を行う照明装置商取引システムであって、前記導光体のサイズを入力する入力手段と、前記サイズの照明装置の見積もり結果を表示する表示手段とを備える端末と、ネットワークを介して前記端末からの前記導光体のサイズの入力を受信する受信手段と、前記受信したサイズの照明装置の見積もりを算出する算出手段と、算出された見積もり結果を前記端末へと送信する送信手段とを備えるサーバとを含む。
【発明の効果】
【０００６】
本発明に係る照明装置は、部品点数も少なく、特別な加工も必要ないため、生産性を高めることができる。
【図面の簡単な説明】
【０００７】
【図１】実施形態に係る照明装置の斜視図であり、（ａ）は取付面側から見た図であり、（ｂ）は照射面側から見た図である。
【図２】照明装置の分解斜視図である。
【図３】照明装置の断面図である。
【図４】枠部材の横断面図である。
【図５】結合部材の斜視図である。
【図６】照明装置をベース部材に取り付ける前の状態を示す斜視図である。
【図７】第２の実施形態に係る結合部材の斜視図である。
【図８】照明装置商取引システムを示す概略図である。
【図９】サーバのブロック図である。
【図１０】第４の実施形態に係る点灯回路装置の斜視図である。
【図１１】電解コンデンサ実装部付近の断面である。
【図１２】筐体の蓋を外した状態の電解コンデンサ実装部周辺の斜視図である。
【図１３】第５の実施形態に係る照明装置を光出射面と反対側から見た斜視図である。
【図１４】第５の実施形態に係る照明装置を光出射面側から見た斜視図である。
【図１５】第５の実施形態に係る清浄部の分解斜視図である。
【図１６】第５の実施形態に係る清浄部の蓋体を外した正面図である。
【発明を実施するための形態】
【０００８】
＜実施形態＞
以下に本発明に係る実施形態について、図面を参照しながら詳細に説明する。なお本実施形態は一例であり、これに限定されるものではない。
【０００９】
＜第１の実施形態＞
第１の実施形態では、天井にスライドフックを利用して取り付けられる照明装置について説明する。
１．照明装置概要
図１は実施形態に係る照明装置の斜視図であり、（ａ）は取付面側から見た図であり、（ｂ）は照射面側から見た図である。図２は照明装置の分解斜視図である。図３は照明装置の断面図である。
照明装置１は、光源であるＬＥＤモジュール３と、ＬＥＤモジュール３から光を導光させて表側へと照射する導光体５と、ＬＥＤモジュール３及び導光体５を収容する枠体７と、ＬＥＤモジュール３を点灯させる点灯回路９とを備える。
枠体７には、導光体５を保持する機能、ＬＥＤモジュール３を収容する機能、照明装置の取付面への取付機能等を有している。
【００１０】
２．各部構成
（１）ＬＥＤモジュール３
ＬＥＤモジュール３は、帯状の基板１１と、基板１１の長手方向に沿って等間隔で実装された複数のＬＥＤ１３とを有する。ここでのＬＥＤ１３は、所謂白色ＬＥＤであり、白色光を出射する。基板１１は複数のＬＥＤ１３を直列接続するための配線パターンを表面に有している。ＬＥＤモジュール３は導光体５の寸法に合わせて適宜切断して利用される。この際、点灯回路９に接続されている配線が配線パターンにハンダ等で直接接続される。絶縁対策は、例えば、配線接続後に、配線パターンが露出している部分に、収縮チューブを被覆したり、絶縁テープを貼着したりすることで行われる。
基板１１の幅（短手方向の寸法）は、後述の枠部材３１の第３凹部３９と略一致するように、統一されている。
【００１１】
（２）導光体５
導光体５は反射部材２１と導光板２３とを少なくとも含む。本実施形態では、反射部材２１、導光板２３以外に拡散部材２５を含んでいる。なお、ここでは、導光体５は照射面側から見たときに矩形状をしている。
【００１２】
（２−１）反射部材２１
反射部材２１は例えば反射シートにより構成される。反射シートは導光板２３の裏面に密接状態で設けられている。反射部材２１は導光板２３の裏面から出射しようとする光を表面側に反射させる機能を有している。なお、導光板２３の表面は光の出射面である。反射シートとして、例えば、ポリエステルシートやＰＥＴシートが利用できる。
【００１３】
（２−２）導光板２３
導光板２３は、端面から入射した光を導光させながら、表面側から出射する。導光板２３は透光性樹脂材料により板状に形成される。透光性樹脂材料としては、ポリメチルメタクリレート（ＰＭＭＡ)、ポリエチレンテレフタレート（ＰＥＴ)、ポリプロピレン（ＰＰ)、ポリカーボネート（ＰＣ）等がある。
導光板２３の裏面は、凹凸面となっている。なお、凹凸は、例えばレーザー加工や印刷加工により行われる。
【００１４】
（２−３）拡散部材２５
拡散部材２５は導光板２３の表面から出射した光を拡散させる。拡散部材２５は導光板２３の裏面の凹凸が目立つのを防止する機能も有する。拡散部材２５としては、例えば拡散シートや拡散板が利用される。なお、均一光の要求が低い場合には、拡散部材を有しなくてもよい。
【００１５】
（３）枠体７
枠体７は、導光体５の端面数と同じ数の枠部材３１と、枠部材３１の端部同士を結合する結合部材３３とからなる。なお、枠部材数と結合部材数は同じである。また、枠体７において、結合部材３３により連結された枠部材３１により囲まれた領域内を内側とし、前記領域外を外側とする。また、枠部材３１において前記領域に対向する側面を内側面とし、外側に位置する側面を外側面とする。また、枠体７においても導光体５から光が出射される側を表側とする。本実施形態では導光体５は矩形状をしている。
【００１６】
（３−１）枠部材３１
図４は、枠部材の横断面図である。
本実施形態における枠部材３１は４本ある。矩形状の導光体５の長辺に対応する一対の長枠部材３１ａと、導光体５の短辺に対応する一対の短枠部材３１ｂとの４本である。４本の枠部材３１は、横断面形状はすべて同じであり、長さだけが異なる。つまり、４本の枠部材３１は導光体５のサイズに合わせて長尺部材を切断したものである。このため、長枠部材３１ａ及び短枠部材３１ｂを、単に「枠部材３１」として説明する。また、横断面形状は端面形状と一致する。
【００１７】
枠部材３１の横断面形状は全体として矩形状をする棒状をしている。矩形状は、内側から外側（内外方向である。）に長い形状である（表裏方向が短い形状でもある。）。枠部材３１は各種機能を有する溝（凹み）を有している。溝は枠体７の内側面及び裏面に設けられている。
枠部材３１は導光体５の端部と嵌合する第１嵌合凹部３５を有している。第１嵌合凹部３５は、図３及び図４に示すように、内側面に設けられ、外側に向かって凹入する。第１嵌合凹部３５の凹入幅（表裏方向の寸法）Ａは導光体５の厚みに相当する。これにより、導光体５の表裏方向の位置決め及び固定がなされる。
【００１８】
枠部材３１は第１嵌合凹部３５の底からさらに凹入する第２嵌合凹部３７を有する。第２嵌合凹部３７の凹入幅（表裏方向の寸法）Ｂは、図３及び図４に示すように、導光板２３と反射部材２１とを重ねた厚みに相当する。このため、拡散部材２５の厚さに相当する段差が第１嵌合凹部３５と第２嵌合凹部３７との間に形成されることになる。これにより、導光体５の内外方向の位置決めがなされる。
枠部材３１は、第２嵌合凹部３７の底に相当する部位からさらに凹入する第３凹部３９を有する。第３凹部３９の凹入深さ（内外方向の寸法である。）は、図３に示すように、ＬＥＤモジュール３の高さに相当する。
なお、ここでのＬＥＤモジュール３の高さは基板１１の厚み方向の寸法である。第３凹部３９の凹入幅（表裏方向の寸法）Ｃは基板１１の幅に相当する。これにより、ＬＥＤモジュール３の位置決め・収容がなされる。
【００１９】
第２嵌合凹部３７と第３凹部３９との位置関係は、ＬＥＤ１３が第２嵌合凹部３７側に位置する状態でＬＥＤモジュール３を第３凹部３９に収容したときにＬＥＤ１３の頂面のすべてが導光板２３の端面に当接（対向）するように、設定されている。これにより、ＬＥＤ１３から発せられた光を有効に利用できる。
【００２０】
上記の第１嵌合凹部３５、第２嵌合凹部３７及び第３凹部３９は、枠部材３１の長手方向に連続して形成されており、上記のように導光体５やＬＥＤモジュール３を収容するための収容溝４１を構成する。
【００２１】
枠部材３１は第４凹部４３を有する。第４凹部４３は、図４に示すように、裏面に設けられ、表側に向かって凹入する。第４凹部４３の凹入幅（内外方向の寸法）Ｄは結合部材３３のリブ７７，７９の幅に相当する。
枠部材３１は、第４凹部４３の底に相当する部位から表側へと凹入する第５凹部４５を有する。第５凹部４５の凹入幅（内外方向の寸法）Ｅは結合部材３３の挿入片７３，７５の幅に相当する。これにより、後述の結合部材３３との結合がなされる。
【００２２】
第５凹部４５の位置は、結合部材３３の挿入片７３，７５が第５凹部４５に挿入された状態で枠部材３１の表面と結合部材３３の表面との結合部分が面一となるように構成されている。上記の第４凹部４３及び第５凹部４５は、枠部材３１の長手方向に連続して形成されており、上記のように、結合部材３３と結合するための結合溝４７を構成する。
枠部材３１は、例えば、アルミニウム等の金属材料から構成される。ここでは、例えば押出成形のため、上記の収容溝４１や結合溝４７を有する枠部材３１を容易に得ることができる。
【００２３】
枠部材３１の裏面であって外側端部は裏側へと延伸する鍔部４８を全長に亘って有している。鍔部４８の高さ（表裏方向の寸法）は、後述の点灯回路９を収容する回路ボックス８１の高さに相当し、導光体５の裏面に回路ボックス８１を配した際に回路ボックス８１が鍔部４８よりも張り出さないように、構成されている。枠部材３１の表面であって外側部分は、外側に移るに従って裏側へ移る傾斜面４９となっている。枠部材３１の長手方向と直交する端面は長手方向に対して直交する。
なお、例えば導光体が三角形である場合も、端面は長手方向に対して直交するように構成できる。この場合も、三角形状用の結合部材を用意すればよい。
【００２４】
（３−２）結合部材
図５は、結合部材の斜視図である。
結合部材３３は、導光体５の角に沿って枠部材３１を互いに重ならないように配置した際にできる空間を埋めるような形状をしている。
【００２５】
結合部材３３は、表裏方向から見たときに全体形状として正方形状をしている。結合部材３３は、枠部材３１と結合した際に、一方の枠部材３１（例えば短枠部材３１ｂである。）の端面と対向する内側壁（内側壁５３と区別するために、短側内側壁と便宜上規定する。）５１と、他方の枠部材３１（例えば長枠部材３１ａである。）の端面と対向する内側壁（内側壁５１と区別するために、長側内側壁と便宜上規定する。）５３と、短側内側壁５１における長側内側壁５３と反対側に位置する外側壁（外側壁５７と区別するために、短側外側壁と便宜上規定する。）５５と、長側内側壁５１における短側内側壁５１と反対側に位置する外側壁（外側壁５５と区別するために、長側外側壁と便宜上規定する。）５７と、各側壁の表側端を連結する表壁５９とを有する。
【００２６】
短側内側壁５１と長側内側壁５３とは同じ構成であり、両者を区別する必要がない場合は単に内側壁５１，５３として説明する。同様に、短側外側壁５５と長側外側壁５７とは同じ構成であり、両者を区別する必要がない場合は単に外側壁５５，５７として説明する。
結合部材３３は、図５に示すように、裏側から見たときに、完全な正方形ではなく、導光体５の角部に相当する部分に凹入部６１をしている。つまり、短側内側壁５１における長側内側壁５３側に短側内側壁５１と直交する凹入壁（凹入壁６５と区別するために、「短側凹入壁」と便宜上規定する。）６３を有する。同様に、長側内側壁５３における短側内側壁５１側に長側内側壁５３と直交する凹入壁（凹入壁６３と区別するために、「長側凹入壁」と便宜上規定する。）６５を有する。なお、表壁５９は凹入部６１の部分にも存在している。結合部材３３の角部の凹入部６１には導光体５の角部が配される
【００２７】
表壁５９の内面の略中央には裏側へと突出するボス部６７が形成されている。内面の略中央は、裏側から見たときに、短側内側壁５１、長側内側壁５３、短側外側壁５５、長側外側壁５７、短側凹入壁６３及び長側凹入壁６５に囲まれた領域に存在する。
ボス部６７には表裏に貫通する貫通孔６８が設けられている。ボス部６７は長側凹入壁６５と短側凹入壁６３と交差する部分で連結されている。ボス部６７は長側外側壁５７と短側外側壁５５との連結部分から内方へ延びるリブ６９と連結されている。
各側壁５１〜５７及び各凹入壁６３，６５の高さは枠部材３１の表面から鍔部４８の裏側端までの距離に相当する。これにより、枠体７として結合した際に凸凹のない枠体７が構成される。両外側壁５５，５７の表側は、図１の（ｂ）に示すように、内側へと凹入する傾斜面となっている。
【００２８】
隣接する内側壁５１，５３には、枠部材３１の第５凹部４５に挿入される挿入片７３，７５と、枠部材３１の第４凹部４３に挿入されるリブ７７，７９とが設けられている。挿入片７３，７５及びリブ７７，７９の寸法は、枠部材３１の結合溝４７の寸法に対応している。挿入片７３，７５及びリブ７７，７９の位置は、枠部材３１と結合した際に枠部材３１の表面と結合部材３３の表面とが面一状になるように、構成されている。
リブ７７，７９は、結合部材３３の裏側端から表側に移るに従って張出量が徐々に大きくなるように構成されている。挿入片７３，７５は、その長手方向に間隔を置いて設けられた複数個のねじ穴７８を有する。
【００２９】
（４）点灯回路９
点灯回路９は商用電源から受電してＬＥＤ１３を発光させる。点灯回路９は、例えば、整流回路部、平滑回路部、電圧変換回路部等を有する。点灯回路９は、各回路部を構成する電子部品と、電子部品が実装される回路基板とから構成され、回路ボックス８１内に収容される。
【００３０】
３．組立
照明装置１の組み立てについて説明する。なお、言うまでもなく、ここで説明する手順は一例であり、他の手順でも照明装置１を組み立てることができる。
まず、照明装置１として要求されている照度やサイズに合わせて、導光体５、４本の枠部材３１、４個の結合部材３３、点灯回路９（回路ボックス８１）、ＬＥＤモジュール３を準備する。ここでは、ＬＥＤモジュール３は、導光体５の短辺のそれぞれに配される。
ＬＥＤモジュール３のそれぞれを短枠部材３１ｂの端面から第３凹部３９へと挿入する。その後、ＬＥＤモジュール３が収容されている短枠部材３１ｂの第１嵌合凹部３５及び第２嵌合凹部３７に導光体５を挿入して嵌合させる。
【００３１】
次に、結合部材３３の長側内側壁５３に設けられている挿入片７５を長枠部材３１ａの第５凹部４５に挿入し、さらに、長側内側壁５３に設けられているリブ７９を長枠部材３１ａの第４凹部４３に挿入して嵌合させる。
そして、長枠部材３１ａの両端に結合されている結合部材３３の短側内側壁５１の挿入片７３を短枠部材３１ｂの端部の第５凹部４５に挿入し、短側内側壁５１のリブ７７を短枠部材３１ｂの端部の第４凹部４３に挿入して嵌合させる。これによりＬＥＤモジュール３及び導光体５が組み込まれた枠体７が完成する。
【００３２】
最後に、点灯回路９とＬＥＤモジュール３に接続された配線とを接続して、導光体５の裏面側に点灯回路９を収容する回路ボックス８１を固定する。これにより照明装置１の組み立てが完了する。
照明装置１に求められる照度は、予め準備しておいた複数種類のＬＥＤモジュール３を利用することで容易に対応できる。ここでの複数種類とは、例えば、ＬＥＤ１３の実装間隔が異なる種類や、ＬＥＤ１３の出力が異なる種類である。なお、ＬＥＤモジュールの種類が異なっても、基板の幅は同じである。
【００３３】
ＬＥＤモジュール３の長さは、間隔を置いて実装されているＬＥＤ１３間で基板１１を切断することで容易に対応できる。これにより、導光体５のサイズに合わせたＬＥＤモジュール３を準備することができる。特に、基板１１上の配線パターンを端子として使用するため、ＬＥＤ１３を実装する基板１１を任意の位置で切断しても電気的接続は可能となる。
４本の枠部材３１ａ，３１ｂは、照明装置１の寸法に合わせて、長尺状の部材から切断される。このため、各種のサイズの照明装置１にも適用できる。また、横断面形状が同じであるため、枠部材３１ａ，３１ｂを結合部材３３で結合して枠体７に組み立ても品質のばらつきが少ない。また、長尺状の部材として、例えば押出品等を利用すると、安価に製造することができる。
【００３４】
なお、照明装置１の天井等への取り付けは、結合前の枠部材３１（例えば一対の長枠部材３１ａである）の結合溝４７に予め配された複数（例えば、２個）スライドフックを利用して行われる。スライドフックは、第５凹部４５内に挿入されて結合溝４７内を移動可能なスライド部と、スライド部から第４凹部４３を通過して裏側へと突出するフック部とから構成され、フック部が天井に取り付けられたワイヤ等に引掛けられる。なお、フック部の幅よりもスライド部の幅の方が大きくなっている。
【００３５】
＜第２の実施形態＞
第２の実施形態では、天井にベース板を利用して着脱自在に取り付けられる照明装置について説明する。なお、ベース板と照明装置とから照明ユニットが構成される。
第２の実施形態に係る照明装置１０１の基本構造は第１の実施形態の照明装置１と同じであるが、第２の実施形態の結合部材１０５が第１実施形態の結合部材３３と異なる。このため、第１の実施形態と同じ構成については、同じ符号を用い、その説明を省略する。
【００３６】
図６は、照明装置をベース部材に取り付ける前の状態を示す斜視図である。図７は、第２の実施形態に係る結合部材の斜視図である。
照明装置１０１は、ＬＥＤモジュール３、導光体５、枠体１０３を構成する枠部材３１ａ，３１ｂ、枠部材３１ａ，３１ｂを結合する結合部材１０５及び点灯回路９を備える。この照明装置１０１は天井に装着されたベース板１１１に取り付けられる。以下、ベース板１１１と結合部材１０５について図６及び図７を用いて説明する。
【００３７】
１．ベース板１１１
ベース板１１１は、ここでは、全体の形状が「Ｈ」の字状をしている、つまり、ベース板１１１は、互いに平行な方向に延伸する一対の取付部１１３と、一対の取付部１１３における延伸方向の中央を連結する連結部１１５とを有する。
【００３８】
取付部１１３は、ここでは、照明装置１０１の短枠部材３１ｂの裏面に位置する状態で短枠部材３１ｂの両端に結合された結合部材１０５が取り付けられる取付手段１１７を有する。取付手段１１７は、照明装置１０１の短枠部材３１ｂの裏面が取付部１１３に当接する状態で結合部材１０５の貫通孔１４７を挿通するねじ部材１２０が螺合する螺合手段により構成されている。
つまり、取付手段１１７は、取付部１１３の延伸方向の両端に設けられた貫通孔（図示省略）と、取付部１１３における貫通孔に対応する位置にねじ穴を有するナット１１９とを備える。
【００３９】
取付部１１３にナット１１９を設けるため、取付部１１３の取付面側の面は連結部１１５の天井側の面よりも照明装置１０１側に位置している。換言すると、取付部１１３におけるナット１１９が設けられている領域は連結部１１５に対して段差状となっている。
連結部１１５は、図６に示すように、連結方向に沿って貫通孔１２４ａを複数個有している。この貫通孔１２４ａは、ベース板１１１を天井に固定するためのものである。なお、固定には例えばねじくぎが利用される。連結部１１５は連結方向の略中央に貫通孔１２４ｂを有する。この貫通孔１２４ｂは商用電源と接続された配線を通すためのものである。
連結部１１５における連結方向に沿う端部（短手方向の端部である。）は表側へと折り曲げられている。これは、連結部１１５の剛性を高めるためと、ねじくぎの頭部が導光体５に接触するのを防止するためである。
【００４０】
２．結合部材
結合部材１０５の基本構造は第１の実施形態の結合部材３３と同じである。結合部材３３は照明装置１０１として組み立てられた状態でベース板１１１に取り付ける。この際、結合部材１０５はベース板１１１の取付部１１３と嵌合する嵌合凹部１２１を有している。嵌合凹部１２１は、具体的には、短側内側壁１２３、長側内側壁１２５、短側凹入壁１２７、長側凹入壁１２９、ボス部１３１及びリブ部１３３の裏側部分が切り取られて構成される。
【００４１】
なお、嵌合凹部１２１に面する短側内側壁１２３、長側内側壁１２５、短側凹入壁１２７、長側凹入壁１２９、ボス部１３１及びリブ部１３３は、取付部１１３と表側から当接する当接部１３５を構成する。また、ボス部１３１には貫通孔１４７が設けられている。
結合部材１０５は導光体５の角部と当接する当接部１４１を凹入部分１４３に有している。具体的には、長側凹入壁１２９及び短側凹入壁１２７は枠部材３１の端面側へと突出する段差部１４５を有している。なお、段差部１４５によりＬＥＤモジュール３との接続線を配するための空間が形成される。
【００４２】
３．照明装置の取り付け
照明装置１０１の取り付けについて説明する。
まず、ベース板１１１を天井や壁等の取付面に装着する。装着は、連結部１１５の裏面を取付面に当接させた状態でねじくぎを貫通孔１２４ａから取付面にねじ込んで行う。
【００４３】
次に、照明装置１０１の短枠部材３１ｂの両側（長枠部材３１ａの両側おも同じである。）の結合部材１０５の嵌合凹部１２１をベース板１１１の取付部１１３に嵌合させる。そして、この状態で結合部材１０５の貫通孔１４７の表側からねじ部材１２０を挿入して、ベース板１１１の取付手段であるナット１１９に螺合させる。これにより、照明装置１０１のベース板１１１への取り付けが完了する。
ベース板１１１への照明装置１０１の取り付けに際し、照明装置１０１の短枠部材３１ｂの両端の結合部材１０５の嵌合凹部１２１を裏側から見たときに、嵌合凹部１２１により形成される全体の凹みが取付部１１３の角の形状に対応しているため、ガタつきを少なくして行うことができる。
また、嵌合凹部１２１の凹入深さは、ベース板１１１の取付部１１３と連結部１１５との段差に対応しており、照明装置１０１を取付面に対して隙間を狭くして取り付けることができる。
【００４４】
＜第３の実施形態＞
第１及び第２の実施形態において断面形状が同じである枠部材３１を利用している。ＬＥＤモジュール３の長さは基板１１上のＬＥＤ１３間で基板１１を切断することで調整している。このため、枠体７のサイズ及び要求される輝度が分かれば、例えば第１の実施形態で説明した照明装置１の見積もりや設計を自動的に行う照明装置商取引システムを構築することができる。
【００４５】
図８は、照明装置商取引システムを示す概略図である。
照明装置商取引システム２０１は、入力手段２０３及び表示手段２０５を有する端末２０７と、ネットワーク２０９を介して端末２０７から入力された情報に基づいて算出された照明装置の仕様を端末２０７に表示させるサーバ２１１とを含む。なお、ここでは、ネットワーク２０９としてインタネットが利用されている。
【００４６】
１．端末２０７
端末２０７は、例えば、パーソナルコンピュータ、スマート、タブレット等を利用できる。入力手段２０３は少なくとも照明装置１の寸法及び照明器具の輝度を入力できる。入力手段２０３から入力された情報はインタネットを介してサーバ２１１に送信される。
表示手段２０５は少なくともサーバ２１１から送信される情報を表示する。例えば、照明装置１のサイズや輝度の入力を補助（ガイド）するための表示を行う。なお、表示手段は入力手段２０３から入力された情報を表示する機能も有する。
【００４７】
２．サーバ２１１
図９は、サーバのブロック図である。
サーバ２１１は、例えば、コンピュータ等を利用できる。サーバ２１１は、端末２０７の表示手段２０５に表示させる情報を送信する送信手段２１３と、端末２０７の入力手段２０３から入力された情報を受信する受信手段２１５と、受信した情報から照明装置１の仕様を算出する算出手段２１７と、照明装置１の仕様を算出するための情報を記憶する記憶手段２１９と、各手段２１３〜２１９間でのデータの入出力を制御したり各手段２１３〜２１９を制御したりする制御手段２２１を有する。
【００４８】
照明装置１は、例えば第１の実施形態で説明した装置である。導光体５のサイズである「縦寸法」と「横寸法」とが入力されると導光体５の面積と使用する枠部材の全長とが算出される。
記憶手段２１９には導光体５の単位面積当たりの単価である導光体単価が記憶されている。算出手段２１７は、導光体５の面積を算出すると、その面積に導光体単価を乗じて導光体５の概算見積もりを行う。
記憶手段２１９には枠部材３１の単位長さ当たりの単価である枠部材単価が記憶されている。算出手段２１７は、照明装置１に必要な枠部材３１の長さを算出すると、その長さに枠部材単価を乗じて枠部材３１の概算見積もりを行う。
【００４９】
記憶手段２１９には、ＬＥＤモジュール３に使用されるＬＥＤ１３の輝度と、複数種類のＬＥＤモジュール３の単位長さ当たりのＬＥＤ数であるＬＥＤ密度が記憶されている。算出手段２１７は、照明装置１に必要とされる輝度から必要なＬＥＤ１３の数を算出し、必要なＬＥＤモジュールの仕様を決定する。
必要なＬＥＤ数は必要な輝度を１個当たりのＬＥＤ輝度で割ることで算出される。ＬＥＤモジュール３の仕様は、必要なＬＥＤ数を２で割り（導光体の対向する２つの辺にＬＥＤモジュール３を配置するため）、その値を導光体５の長辺又は短辺で割ると、必要とされるＬＥＤ密度が算出され、この密度に近いＬＥＤモジュール３が選択される。
【００５０】
記憶手段２１９には複数種類のそれぞれのＬＥＤモジュール３の単位長さ当たりの単価であるモジュール単価が記憶されている。ＬＥＤモジュール３の長さは算出に用いた長辺又は短辺の長さに相当する。従って、算出手段は、ＬＥＤモジュール３が決定されると、ＬＥＤモジュール３の長さにモジュール単価と使用本数である「２」とを乗じてＬＥＤモジュール３の概算見積もりを行う。
記憶手段２１９には組み立て加工費、結合部材３３の単価等が記憶されている。算出手段は、上記した導光体５の費用、枠部材３１の費用、２本のＬＥＤモジュール３、結合部材１０５の費用、組み立て費用等を合算して照明装置１０１の見積もりを行う。
【００５１】
制御手段２２１は、受信手段２１５から端末２０７から照明装置１の見積もり依頼を受けると、照明装置１のサイズや輝度を算出手段２１７に送出して照明装置１の見積もりを指示する。制御手段２２１は、算出手段２１７から照明装置１に見積もりを受けると、端末２０７の表示手段２０５に表示すべく送信手段２１３に見積もり結果を送信するよう指示する。
【００５２】
＜第４の実施形態＞
第１の実施形態の照明装置１の点灯回路９及び回路ボックス８１について特に説明していなかったが、薄型化が可能な回路装置を第４の実施形態として説明する。なお、第４の実施形態に係る回路装置を利用することで、第１及び第２の実施形態における照明装置のより一層の薄型化が可能となる。
なお、本実施形態では、ＬＥＤ１３用の点灯回路９を構成する電子部品が基板に実装された状態でこれらが筐体（回路ボックス）内に収容されてなる点灯回路装置について説明するが、電子部品が実装されている基板が筐体（回路ボックス）内に収容される構造の回路装置にも適用できる。
【００５３】
図１０は、第４の実施形態に係る点灯回路装置の斜視図であり、図１１は、電解コンデンサ実装部付近の断面であり、図１２は、筐体の蓋を外した状態の電解コンデンサ実装部周辺の斜視図である。
【００５４】
点灯回路装置３０１は、筺体３０３内に回路ユニット３０５が配されてなる。
回路ユニット３０５は、基板３０７と、基板３０７に実装された複数の電子部品（３０９）とを有する。筺体３０３は、第１壁３１３と第２壁３１５とを基板３０７の厚み方向に間隔をおいて有し、回路ユニット３０５は、第１壁３１３と第２壁３１５との間に配される。
【００５５】
基板３０７は、表面に配線パターンを有し、当該配線パターンに接続するように電子部品が実装されている。電子部品としてラジアル部品が利用され、電子部品のリード線が基板３０７の表面に接続されている。つまり、電子部品のリード線（例えば、電解コンデンサ３０９のリード線３０９ｂ）が基板３０７を貫通せずに半田３１７により固定されている。これにより、第１壁３１３を金属材料で構成しても、基板３０７と第１壁３１３とを当接させることができ、点灯回路装置３０１の薄肉化を図ることができる。
電子部品は、チョークコイル、ＩＣ、抵抗、電解コンデンサ３０９等を含む。なお、複数の電子部品により点灯回路９が構成される。
【００５６】
基板３０７は長尺状をしている。基板３０７における長手方向の両端部にはＬＥＤ１３に電力を供給するための接続コネクタ３１９が設けられている。電解コンデンサ３０９は、円柱状の本体部３０９ａの中心軸が基板３０７と略平行になるようにリード線３０９ｂが折り曲げられて基板３０７に実装されている。
基板３０７は、電界コンデンサ３０９の本体部３０９ａが配される部位に凹部３２１を有している。つまり、基板３０７は、電解コンデンサ３０９の本体部３０９ａにおける第１壁３１３側に位置する端縁３０９ｃが入り込む凹部３２１を有する。この状態では、電解コンデンサ３０９の本体部３０９ａにおける第１壁３１３側の端縁３０９ｃが基板３０７における第２壁３１５側の面３０７ａよりも第１壁３１３側に位置している。
【００５７】
ここでの凹部３２１は１個設けられ、６個の電解コンデンサ３０９の第１壁３１３に近い端部（端縁３０９ｃが存在する側の端部である。）が入り込んでいる。凹部３２１は基板３０７を貫通する貫通孔により構成されている。
基板３０７の凹部３２１の大きさは、第１壁３１３に電解コンデンサ３０９用の凹部が存在しない場合は電解コンデンサ３０９の本体部３０９ａが少なくとも基板３０７の厚み分だけ入るように構成されればよいし、第１壁３１３に電解コンデンサ３０９用の凹部が存在し且つ当該凹部が大きい場合、電解コンデンサ３０９の第１壁３１３側の端縁３０９ｃが第１壁３１３から外へと張り出せないように構成されればよい。
【００５８】
なお、第１壁３１３に電解コンデンサ３０９用の凹部が存在し、当該凹部の大きさが電解コンデンサ３０９の第１壁３１３側の端縁３０９ｃが第１壁３１３から外へと張り出せない大きさであれば、基板３０７の凹部の大きさは入り込むコンデンサ３０９の本体部３０９ａの大きさよりも大きくてもよい。
筐体３０３は、長尺状をし、第１部材３３１と第２部材３３３とを有している。
第１部材３３１は、平板状の第１壁３１３と、第１壁３１３の短手方向の端部から立設する側壁３３５とを有する。第２部材３３３は、平板状の第２壁３１５と、第２壁３１５の短手方向の端部から立設する側壁３３７とを有する。
【００５９】
第２部材３３３（第２壁３１５）の長手方向の長さは、基板３０７の長手方向の長さより短い。これにより基板３０７の長手方向の少なくとも一方の端部（ここでは両端部である。）が露出することとなり、当該露出した端部に接続コネクタ３１９が設けられている。
第２壁３１５は、電解コンデンサ３０９の本体部３０９ａにおける第２壁３１５側に位置する端縁３０９ｄが入り込む凹部３３９を有する。第２壁３１５の凹部３３９は、ここでは第２壁３１５を貫通する貫通孔であるが、貫通しない凹みであってもよい。
第２壁３１５の凹部３３９の大きさは、電解コンデンサ３０９の本体部３０９ａの第２壁３１５側の端縁３０９ｄが第２壁３１５における第１壁３１３と反対側の面３１５ａから外へと突出できない大きさである。
【００６０】
電解コンデンサ３０９を除く電子部品における基板３０７の厚み方向の寸法は、第２壁３１５と基板３０７との間で現れている電解コンデンサ３０９(本体部３０９ａ）の基板３０７の厚み方向の寸法よりも小さい。
第４の実施形態では、電解コンデンサ３０９の本体部３０９ａの一部が入り込む凹部（貫通孔を含む）３２１，３３９を基板３０７と第２壁３１５とに有していたが、凹部（貫通孔）は基板、第１壁、第２壁の少なくとも１つに設けられていれば、回路装置の薄肉化を図ることができる。言うまでなく、基板、第１壁、第２壁のすべてに凹部が存在する場合より一層の薄肉化できる。
【００６１】
また、凹部３２１，３３９は貫通孔で構成されていたが、例えば、貫通しない凹みで構成されてもよい。さらに、複数の基板を利用し、基板同士を離間させた状態で筐体内に収容し、電解コンデンサ等の電子部品の本体部が基板間に位置するようにしてもよい。
凹部（貫通孔を含む）は電子部品の本体部の一部が入ればよく、複数個の電子部品がすべて入り込む凹部３２１であってもよいし、複数個の電子部品が個別に入り込む凹部であってもよいし、複数個の電子部品の内、所定数の電子部品が入り込む凹部３３９であってもよい。
【００６２】
＜第５の実施形態＞
第５の実施形態では、薄型の導光板タイプの装置を利用して清浄機能が設けられた照明装置について説明する。
図１３は第５の実施形態に係る照明装置を光出射面と反対側から見た斜視図であり、図１４は第５の実施形態に係る照明装置を光出射面側から見た斜視図である。図１５は第５の実施形態に係る清浄部の分解斜視図であり、図１６は第５の実施形態に係る清浄部の蓋体を外した正面図である。
【００６３】
照明装置４０１は、導光体５の端面にＬＥＤ素子（１３）が配されて光源部４０３が構成され、導光体５における光出射面の裏側に清浄部４０５が設けられている。
光源部４０３の構成は第１の実施形態の照明装置１とほぼ同じ構成をしており、同じ構成のものは第１の実施形態と同じ符号を用いて図示し、これらの構成については説明を省略する。
清浄部４０５は、光触媒４０７と紫外線ＬＥＤ４０９とを有している。ここでの紫外線ＬＥＤ４０９は、波長が３６５［ｎｍ］〜４０５［ｎｍ］の光を出射するＬＥＤのことを指す。なお、紫外線ＬＥＤ４０９は光触媒４０７に向けて紫外光を出射する。
【００６４】
光触媒４０７は、ここでは平板状をしている。光触媒４０７は、ここでは、酸化チタンを含有するセラミック材料が利用されている。セラミック材料は多孔質材料である。光触媒４０７は、導光体５の面に対して傾斜する状態に配されている。これにより清浄部４０５を薄くできる。
光触媒４０７は、長手方向の両端部４０７ａ，４０７ｂが支持部材４１１ａ，４１１ｂにより支持されている。なお、支持部材４１１ａ，４１１ｂは筐体４１５の底壁４２５に取り付けられている。このように光触媒４０７と紫外線ＬＥＤ４０９とは、筺体４１５内に収容された状態で、導光体５の裏側に配されている。これにより、紫外線ＬＥＤ４０９からの紫外光が照明装置４０１の外部へと出射されるのを抑制できる。
【００６５】
筺体４１５は、ベース部材４２１と蓋体４２３との２つの部材から構成されている。筺体４１５は、ここでは全体として直方体状をし、４つの側壁４２７，４２９，４３１,４３３と天壁４３５と底壁４２５とを有する。
ベース部材４２１は、底壁４２５と、対向する一対のベース側壁４２７，４２９とを主に有している。蓋体４２３は、ベース側壁４２７，４２９間に位置する一対の蓋側壁４３１，４３３と天壁４３５とを主に有している。なお、底壁４２５には蓋体４２３を固定するための固定側壁４３７，４３９を一対のベース側壁４２７，４２９間に備える。
【００６６】
ベース部材４２１は光源部４０３の枠体７に固定される。ベース部材４２１の内側には、紫外線ＬＥＤ４０９や光触媒４０７が取り付けられる。紫外線ＬＥＤ４０９は複数個あり、これらが基板４４０に実装された状態（この状態のものを紫外線ＬＥＤモジュール４４１，４４３という。）でベース部材４２１に取り付けられている。
ここでは、紫外線ＬＥＤモジュール４４１，４４３は複数個あり、２群に大別される。第１群である紫外線ＬＥＤモジュール４４１は、傾斜状の光触媒４０７におけるベース部材４２１側の面４０７ｃに向けて紫外光を出射する。第２群である紫外線ＬＥＤモジュール４４３は、傾斜状の光触媒４０７における蓋体４２３側の面４０７ｄに向けて紫外光を出射する。これにより光触媒４０７の清浄機能を高めることができる。複数の紫外線ＬＥＤモジュール４４１，４４３は、モジュール取付具（図示省略）を利用してベース部材４２１に固定されている。
【００６７】
一対のベース側壁及び一対の蓋側壁の少なくとも一方の一対の側壁（ここではベース側壁４２７，４２９である。）は、筺体４１５の内部と外部とを連通させるための連通口４５１，４５３を有している。連通口４５１，４５３を介して筺体４１５内を流れる空気は傾斜状の光触媒４０７を通過することとなる。
一対のベース側壁４２７，４２９の一方（ここではベース側壁４２７である。）には、筺体４１５内の空気を強制的に循環させるファン４５５が設けられている。ここでは、筺体４１５の内部の空気を吸引して筺体４１５の外部へと排出させるファン４５５が排出機能を果たす連通口４５１に対して設けられている。
【００６８】
ここでは、排出機能を有する連通口４５１が２個あり、全体としてファン４５５が２個設けられている。これにより光触媒４０７により清浄機能が高められる。図１５では、２つの連通口４５１の一方の連通口のファンの図示を省略している。なお、ここでは、筐体４１５内での空気の流れは、底壁（導光体）４２５と平行な方向である。
光触媒４０７において、筐体１５内の空気が流れる方向の端部であって底壁４２５から離れている側の端部４０７ａを支持する支持部材４１１ａは、図１５に示すように、空気が流れるように貫通孔４５７が設けられている。ここでの貫通孔４５７は横方向に延びる溝状をしている。
紫外線ＬＥＤ４０９及びファン４５５に供給する電源回路は底壁４２５に設けられ（図示省略）ている。この電源回路は光源部４０３の電源回路（点灯回路）と別に設けられているが、一体として筐体内に配されてもよい。
【００６９】
＜変形例＞
第１〜第５の実施形態について説明したが、これらの実施形態に限られるものではなく、例えば、以下のような変形例であってもよい。また、実施形態と変形例、変形例同士を組み合わせたものであってよい。
また、実施形態や変形例に記載していない例や、要旨を逸脱しない範囲の設計変更があっても本発明に含まれる。
【００７０】
１．照明装置
（１）形状
照明装置は、矩形状をしていたが、結合部材を複数種類用意することで、他の形状とすることもできる。例えば、結合部材の２本の挿入片の角度を６０［度］とすることで、表側から見たときに正三角形の照明装置が得られる。同様に、結合部材の２本の挿入片の角度を１２０［度］とすることで、表側から見たときに正六角形の照明装置が得られる。
また、結合部材の２本の挿入片の角度を６０［度］、１２０［度］の２種類を用意しておくと、正三角、正六角形以外に、角度が６０［度］と１２０［度］との平行四辺形の照明装置が得られる。
（２）照明光
照明装置の出射光は、白色であってもよいし、さらに、昼光色、昼白色等であってもよく、調色可能としてもよいし、調光可能としてもよい。
また、出射光が紫外線のＬＥＤを用いてもよい。この場合、例えば、有色野菜の着色促進効果、殺菌効果、ＵＶ硬化樹脂の硬化促進等の効果が得られる。
【００７１】
２．照明装置商取引システム
第３の実施形態では、第１の実施形態の照明装置１についての見積もりを算出していたが、第２の実施形態の照明装置１０１についての見積もりを算出するようにしても良い。この場合、ベース板の見積もりを算出し、加算することで実施できる。
また、上記変形例で説明した三角形状等の照明装置についても見積もりするようにしてもよい。この場合、希望する照明装置の形状の入力を受け付けるようにすれば実施できる。さらに、照明装置の出射光を受け付けるようにしてもよい。この場合も出射光の光色を受け付けるようにして対応するＬＥＤのＬＥＤ単価から見積もりを算出すればよい。また、同様にして調光、調色機能を追加できるようにしてもよい。
【００７２】
３．清浄部
第５の実施形態では、第１の実施形態の照明装置１に清浄部４０５を設けたが、例えば、清浄部は清浄装置としても利用できる。この場合、筐体を例えば天井や壁に取り付けることで実施できる。
【符号の説明】
【００７３】
１    照明装置
３    ＬＥＤモジュール
５    導光体
７    枠体
１３    ＬＥＤ
３１    枠部材
３３    結合部材
４１    取付溝
１００    照明ユニット
１０１    照明装置
１１１    ベース板
２０１    照明装置商取引システム
２０３    入力手段
２０５    表示手段
２０７    端末
２０９    ネットネットワーク
２１１    サーバ
２１３    送信手段
２１５    受信手段
２１７    算出手段
４０５    清浄部
４０７    光触媒
４０９    紫外線ＬＥＤ
【図１】
2016167440.tif 000003
【図２】
2016167440.tif 000004
【図３】
2016167440.tif 000005
【図４】
2016167440.tif 000006
【図５】
2016167440.tif 000007
【図６】
2016167440.tif 000008
【図７】
2016167440.tif 000009
【図８】
2016167440.tif 000010
【図９】
2016167440.tif 000011
【図１０】
2016167440.tif 000012
【図１１】
2016167440.tif 000013
【図１２】
2016167440.tif 000014
【図１３】
2016167440.tif 000015
【図１４】
2016167440.tif 000016
【図１５】
2016167440.tif 000017
【図１６】
2016167440.tif 000018